【手続補正書】
【提出日】平成26年10月16日(2014.10.16)
【手続補正１】
【補正対象書類名】明細書
【補正対象項目名】０００８
【補正方法】変更
【補正の内容】
【０００８】
そのために本発明では、インクを吐出するノズルを有し、記録動作を行う記録ヘッドと、前記記録ヘッドへ供給されるインクを収容するインクタンクと、前記インクタンクから前記ノズルへインクを供給するインク供給路に配された第１のポンプと、前記インク供給路を通じて前記ノズルに供給されて吐出されなかったインクを、前記ノズルから前記インクタンクへ回収するインク回収路に配された第２のポンプと、を備えるインクジェット記録装置において、前記インク供給路の途中と前記インク回収路の途中とを接続し、前記ノズルをバイパスするバイパス流路と、前記ノズルと前記第２のポンプの間に配され、前記ノズルおよび前記バイパス流路のいずれも前記インク回収路と連通されない第１の状態と、前記バイパス流路のみ前記インク回収路と連通される第２の状態と、前記ノズルのみ前記インク回収路と連通される第３の状態とに切り換え可能な切換機構と、前記第１のポンプと、前記第２のポンプと、前記切換機構とを制御する制御部と、を備え、前記制御部は、物流インクが充填されている前記記録ヘッドが前記インクジェット記録装置に装着された後に、前記切換機構が前記第１の状態のときに前記第１のポンプを駆動して前記ノズルを通じて前記記録ヘッド内の前記物流インクを排出させる第１の動作と、前記第１の動作の後に、前記切換機構が前記第２の状態のときに前記第２のポンプを駆動して前記バイパス流路を通じてインクを流す第２の動作と、前記第２の動作の後に、前記切換機構が前記第３の状態のときに前記第２のポンプを駆動して前記インクタンクから前記ノズルへインクを供給させる第３の動作と、を行わせることを特徴とする。
【手続補正２】
【補正対象書類名】特許請求の範囲
【補正対象項目名】全文
【補正方法】変更
【補正の内容】
【特許請求の範囲】
【請求項１】
インクを吐出するノズルを有し、記録動作を行う記録ヘッドと、
前記記録ヘッドへ供給されるインクを収容するインクタンクと、
前記インクタンクから前記ノズルへインクを供給するインク供給路に配された第１のポンプと、
前記インク供給路を通じて前記ノズルに供給されて吐出されなかったインクを、前記ノズルから前記インクタンクへ回収するインク回収路に配された第２のポンプと、
を備えるインクジェット記録装置において、
前記インク供給路の途中と前記インク回収路の途中とを接続し、前記ノズルをバイパスするバイパス流路と、
前記ノズルと前記第２のポンプの間に配され、前記ノズルおよび前記バイパス流路のいずれも前記インク回収路と連通されない第１の状態と、前記バイパス流路のみ前記インク回収路と連通される第２の状態と、前記ノズルのみ前記インク回収路と連通される第３の状態とに切り換え可能な切換機構と、
前記第１のポンプと、前記第２のポンプと、前記切換機構とを制御する制御部と、
を備え、
前記制御部は、
物流インクが充填されている前記記録ヘッドが前記インクジェット記録装置に装着された後に、前記切換機構が前記第１の状態のときに前記第１のポンプを駆動して前記ノズルを通じて前記記録ヘッド内の前記物流インクを排出させる第１の動作と、
前記第１の動作の後に、前記切換機構が前記第２の状態のときに前記第２のポンプを駆動して前記バイパス流路を通じてインクを流す第２の動作と、
前記第２の動作の後に、前記切換機構が前記第３の状態のときに前記第２のポンプを駆動して前記インクタンクから前記ノズルへインクを供給させる第３の動作と、を行わせることを特徴とするインクジェット記録装置。
【請求項２】
前記インク供給路には、開状態と閉状態とに切り換え可能な切換弁が備えられ、
前記制御部は、前記記録ヘッドが前記インクジェット記録装置から取り外される前に、前記切換弁を閉じ、前記第２のポンプを駆動させることを特徴とする請求項１に記載のインクジェット記録装置。
【請求項３】
前記記録ヘッドをクリーニングするクリーニング機構が備えられ、
前記第１の動作の後かつ前記第２の動作の前に、前記クリーニング機構によって前記記録ヘッドがクリーニングされること特徴とする請求項１または２に記載のインクジェット記録装置。
【請求項４】
インクを吐出して記録を行う記録ヘッドと、
前記記録ヘッドへ供給されるインクを収容するインクタンクと、
前記インクタンクから前記記録ヘッドへインクを供給する第１のインク供給路に配された第１のポンプと、
前記記録ヘッドから前記インクタンクへインクを回収するインク回収路に配された第２のポンプと、
前記インク回収路に配置され、開状態と閉状態とに切り換え可能な第１の切換機構と、
を備えるインクジェット記録装置において、
前記インクタンクから前記記録ヘッドへインクを供給する第２のインク供給路と、
前記インクタンクと前記記録ヘッドの間に配され、前記第１のインク供給路を通じて前記インクタンクと前記記録ヘッドが連通される第１の状態と、前記第２のインク供給路を通じて前記インクタンクと前記記録ヘッドが連通される第２の状態とに切り換え可能な第２の切換機構と、
前記第１のポンプと、前記第２のポンプと、前記第１の切換機構と、前記第２の切換機構と、を制御する制御部と、
を備え、
前記制御部は、
物流インクが充填されている前記記録ヘッドが前記インクジェット記録装置に装着された後に、前記第１の切換機構が閉状態かつ前記第２の切換機構が前記第１の状態のときに前記第１のポンプを駆動して前記記録ヘッド内の前記物流インクを排出させる第１の動作と、
前記第１の動作の後に、前記第１の切換機構が開状態かつ前記第２の切換機構が前記第２の状態のときに前記第２のポンプを駆動して前記インクタンクから前記記録ヘッドへインクを供給させる第２の動作と、を行わせることを特徴とするインクジェット記録装置。
【請求項５】
前記記録ヘッドをクリーニングするクリーニング機構が備えられ、
前記第１の動作の後かつ前記第２の動作の前に、前記クリーニング機構によって前記記録ヘッドがクリーニングされることを特徴とする請求項４に記載のインクジェット記録装置。
【請求項６】
インクを吐出するノズルを有し、記録動作を行う記録ヘッドと、
前記記録ヘッドへ供給されるインクを収容するインクタンクと、
前記インクタンクから前記ノズルへインクを供給するインク供給路に配された第１のポンプと、
前記インク供給路を通じて前記ノズルに供給されて吐出されなかったインクを、前記ノズルから前記インクタンクへ回収するインク回収路に配された第２のポンプと、
前記インク供給路の途中と前記インク回収路の途中とを接続し、前記ノズルをバイパスするバイパス流路と、
前記ノズルと前記第２のポンプの間に配され、前記ノズルおよび前記バイパス流路のいずれも前記インク回収路と連通されない第１の状態と、前記バイパス流路のみ前記インク回収路と連通される第２の状態と、前記ノズルのみ前記インク回収路と連通される第３の状態とに切り換え可能な切換機構と、
を備えるインクジェット記録装置における物流インクの排出方法であって、
物流インクが充填されている前記記録ヘッドが前記インクジェット記録装置に装着された後に、前記切換機構が前記第１の状態のときに前記第１のポンプを駆動して前記ノズルを通じて前記記録ヘッド内の前記物流インクを排出させる第１の工程と、
前記第１の工程の後に、前記切換機構が前記第２の状態のときに前記第２のポンプを駆動して前記バイパス流路を通じてインクを流す第２の工程と、
前記第２の工程の後に、前記切換機構が前記第３の状態のときに前記第２のポンプを駆動して前記インクタンクから前記ノズルへインクを供給する第３の工程と、
を有することを特徴とする物流インクの排出方法。
【請求項７】
前記第１の工程の後かつ前記第２の工程の前に、前記記録ヘッドをクリーニングする工程を有することを特徴とする請求項６に記載の物流インクの排出方法。